(57)【要約】【課題】  障子一面側の換気を図ることができると共に掃除が容易にできる戸を提供する。【解決手段】本発明にかかる戸１は、縦枠１３を有する枠３と、縦枠に対向する戸先框２１を有する障子５と、キャップ７とを備え、縦枠１３と戸先框２１との間に換気空間Ｓを形成しており、換気空間Ｓでは縦枠１３と戸先框２１が見込み方向で重合すると共に障子一面側と他面側とを連通してあり、キャップ７は、戸先框２１の上端部に装着し、換気空間Ｓの上部に換気空間Ｓに向けて突出する水返し部３５を有する。【選択図】図１
2015214828.tif 000002
【特許請求の範囲】
【請求項１】
縦枠を有する枠と、縦枠に対向する戸先框を有する障子と、キャップとを備え、縦枠と戸先框との間に換気空間を形成しており、換気空間では縦枠と戸先框が見込み方向で重合すると共に障子一面側と他面側とを連通してあり、キャップは、戸先框の上端部に装着し、換気空間の上部に換気空間に向けて突出する水返し部を有することを特徴とする戸。
【発明の詳細な説明】
【技術分野】
【０００１】
本発明は、戸に関する。
【背景技術】
【０００２】
特許文献１には、障子にガラリ構造を設けて、浴室側（障子一面側）の換気を図る戸が開示されている。
【先行技術文献】
【特許文献】
【０００３】
【特許文献１】特開２００５−４２３０６号公報
【発明の概要】
【発明が解決しようとする課題】
【０００４】
しかし、特許文献１の戸では、換気を図る為の構造がガラリ構造なので換気通路（換気空間）の掃除がし難いという問題があった。
【０００５】
そこで、本発明は、障子一面側の換気を図ることができると共に掃除が容易にできる戸の提供を目的とする。
【課題を解決するための手段】
【０００６】
請求項１に記載の発明は、縦枠を有する枠と、縦枠に対向する戸先框を有する障子と、キャップとを備え、縦枠と戸先框との間に換気空間を形成しており、換気空間では縦枠と戸先框が見込み方向で重合すると共に障子一面側と他面側とを連通してあり、キャップは、戸先框の上端部に装着し、換気空間の上部に換気空間に向けて突出する水返し部を有することを特徴とする戸である。
【発明の効果】
【０００７】
請求項１に記載の発明によれば、縦枠と戸先框との間に換気空間を設けて戸先側で換気しているので、障子をあけて戸先框と縦枠を離し、換気空間を露出させることで、換気空間の清掃ができるから掃除が容易にできる。
換気空間は、縦枠と戸先框とが見込み方向で重合しているので、戸先換気であっても水が障子一面側から他面側に浸入するのを防止できる。
戸先框の上端部に装着したキャップには、キャップ本体から換気空間に突出する水返し部を設けているので、障子一面側でシャワー水等の戸先框の上端部にかかる水を換気空間に落下させることができ、戸先框を回り込んで他面側へ入り込むのを防止できる。
【図面の簡単な説明】
【０００８】
【図１】本発明の実施の形態にかかる戸の戸先側を示す図であり、（ａ）は図８に示すＡ−Ａ断面図であり、（ｂ）は（ａ）に示す戸先框を脱衣室側から見た正面図である。
【図２】図１に示すＣ−Ｃ断面図である。
【図３】キャップの図であり、（ａ）は脱衣室側から見た正面図、（ｂ）は戸先框に装着した状態の平面図、（ｃ）は左側面図、（ｄ）は右側面図である。
【図４】キャップに収納する戸車の図であり、（ａ）は正面図、（ｂ）は側面図、（ｃ）は平面図である。
【図５】緊急脱出操作部の図であり、（ａ）は正面図、（ｂ）は側面図、（ｃ）は平面図である。
【図６】本発明の実施の形態にかかる戸の戸先側を示す図であり、図８に示すＢ−Ｂ断面図である。
【図７】本発明の実施の形態にかかる戸の横断面図であり、（ａ）は障子を開いた状態の図であり、（ｂ）は障子を閉じた状態の図である。
【図８】本発明の実施の形態にかかる戸であって、障子を閉じた状態を脱衣室側から見た正面図である。
【図９】（ａ）〜（ｅ）は本発明の変形例にかかる戸の戸先側の図であり、図６に対応する断面を概略的に示す図である。
【発明を実施するための形態】
【０００９】
以下に、添付図面の図１〜図８を参照して本発明の実施の形態を説明する。
図８に示すように、本発明の実施の形態にかかる戸１は、浴室戸であり、枠３と、障子５と、キャップ７（図１参照）とを備えている。
枠３は上枠９と、下枠１１と、戸先側縦枠（縦枠）１３と、戸尻側縦枠１５とで四周を枠組みしてある。
図７に示すように、障子５は、折引戸であり、戸尻側に設けた折戸１７と、折戸１７の戸先側に連結した引戸１９とを備えている。尚、図７（ａ）では（ｂ）に示す吊元ガイド１２、ローララッチ１４、ローラガイド１６を省略している。
引戸１９の戸先框２１は、戸先側縦枠１３に対向して設けてあり、図７（ｂ）及び図８に示す閉状態にあるときに、図６に示すように、浴室側（障子一側面）と脱衣室側（障子他側面）とを連通する換気空間Ｓを形成している。
【００１０】
図６に示すように、戸先側縦枠１３の見込面には、その浴室側で枠内周側に突設する浴室側壁部２３と、脱衣室側で枠内周側に突設する脱衣室側壁部２５とが設けてある。障子５の閉状態では、戸先框２１の戸先側端部２１ａが浴室側壁部２３と脱衣室側壁部２５との間に位置しており、戸先側縦枠１３と戸先框２１とは見込み方向で重合している。
戸先框２１にはその浴室側見付面から浴室側に突設する浴室側突設部２７が設けてある。この浴室側突設部２７は、横断面が略Ｌ字形状を成し、障子５の閉状態では、その先端部２７ａは戸先側縦枠１３の浴室側壁部２３よりも浴室側に位置して、戸先側縦枠１３の浴室側壁部２３に見込み方向で重合している。
このように構成した戸先側縦枠１３と戸先框２１とでは、障子５が閉状態にあるときに戸先框２１の浴室側突設部２７と、戸先側縦枠１３の浴室側壁部２３と、戸先框２１の戸先側端部２１ａと、戸先側縦枠１３の脱衣室側壁部２５とで、換気空間Ｓにジグザグの通路を形成している。
一方、図２に示すように、上枠９の下面には、上枠９の長手方向に沿ってレール２９と上枠タイト材３１とが設けてあり、上枠タイト材３１は、閉状態にある障子５の上端部に長手方向に亘って当接するようにしてある。この上枠タイト材３１は、後述するキャップ７の水返し部３５の上端部３５ａの位置まで設けてあり、水返し部３５の上端部３５ａにも当接している。
【００１１】
図１に示すように、キャップ７は、障子５の戸先框２１の上端部に装着してある。キャップ７は、キャップ上端部３２と、キャップ本体３３と、キャップ上端部３２から換気空間Ｓの上部に換気空間Ｓに向けて突設する水返し部３５とを備えている。
キャップ上端部３２は戸先框２１の上端に配置してあり、キャップ本体３３は戸先框２１の内部に配置してあり、水返し部３５は換気空間Ｓの上部に配置してある。
キャップ本体３３には、戸車３７と、緊急脱出操作部３９とが設けてある。図１（ｂ）及び図３に示すように、戸車３７はキャップ本体３３の戸車収納部４１に上下動自在にスプリング４３と共に収納してあり、スプリング４３により常時上方に向けて付勢してある。図２及び図４に示すように、戸車３７の上端部３７ａにはレール２９に係合するレール係合溝４５が形成されている。
図４に示すように、戸車３７には上下方向中間部に緊急脱出操作部３９を嵌合する嵌合溝４７が形成してある。
【００１２】
図５に示すように、緊急脱出操作部３９は、摘み部４９と、戸車３７の嵌合溝４７に嵌合する平面視Ｃ形状の嵌合部５１と、挿通部５３とが形成されている。嵌合部５１はキャップ本体３３内に挿入して戸車３７の嵌合溝４７に嵌合するものであり、図１に示すように、摘み部４９は戸先框２１の脱衣室側見付面に配置してある。
尚、図１（ｂ）に二点鎖線で示すように、緊急脱出操作部３９の摘み部４９は、押し下げた際の下端位置を水返し部３５の下端位置と略同じ位置にしてある。
図３（ａ）に示すように、キャップ本体３３には、その脱衣側に緊急脱出操作部３９の嵌合部５１を挿入する水平方向に長い長方形状の水平開口部５５が形成してあり、水平開口部５５に連続して垂直方向に長い長方形状の垂直開口部５７が形成してある。緊急脱出操作部３９の嵌合部５１（図５参照）を水平開口部５５から挿入して戸車３７の嵌合溝３７に嵌合し、挿通部５３（図５参照）が垂直開口部５７に位置して上下に移動自在にしてある。
キャップ７は、キャップ上端部３２を戸先框の上に配置して、キャップ本体３３を戸先框の内部に挿入してあり、水返し部３５を換気空間Ｓの上部に配置している。
【００１３】
図１及び図２に示すように、水返し部３５は、キャップ上端部３２に連続して設けてあると共に、換気空間Ｓに向けて突設してあり、戸先側縦枠１３に当接している。この水返し部３５は下方ほど浴室側へ突出するように傾斜した傾斜面５９を備えている。
水返し部３５には、傾斜面５９の下端に連続する水切り片６１が設けてある。水切り片６１は水返し部３５の下端から垂下している片であり、図１（ｂ）に示すように戸先側縦枠１３及び戸先框２１に対して間隔をあけてあり、これらの戸先側縦枠１３及び戸先框と非接触状態にしてある。
【００１４】
次に、戸先框２１におけるキャップ７の装着について説明する。
図１（ｂ）に示すように、キャップ本体３３の戸車収納部４１にスプリング４３と共に戸車３７を上から収納し、スプリング４３の付勢力に抗して戸車３７を押し下げて、戸車３７の嵌合溝４７（図４参照）をキャップ本体３３の水平開口部５５（図３（ａ）参照）に位置させたとろで、図５に示す緊急脱出操作部３９の嵌合部５１を水平開口部５５（図３（ａ）参照）から挿入して、戸車３７の嵌合溝４７に嵌合する。その後、戸車３７の押し下げを解除すると、緊急脱出操作部３９の挿通部５３が垂直開口部５７（図３（ａ）参照）に上下動自在に位置し、戸車３７はキャップ上端部３２から上方に突出する。
一方、戸先框２１の上端部には緊急脱出操作部３９の挿通部５３を挿通する溝が形成してあり、この溝に沿って挿通部５３を戸先框２１の上から挿入すると共にキャップ本体３３を戸先框２１の内部に嵌め入れる。これにより、水返し部３５は換気空間Ｓの上部に配置される。
【００１５】
次に、本実施の形態にかかる戸１の作用効果について説明する。
図７（ａ）に示すように、戸１は、引戸１９を戸尻側へスライド操作することにより折戸１７が折畳まれて障子５を開き、図７（ｂ）に示すように、引戸１９を戸先側へスライド操作することにより、障子５を閉じる。
図６に示すように、障子５が閉状態にあるときには、戸先側縦枠１３と戸先框２１との間に換気空間Ｓを設けて戸先側で換気しているので、障子５をあけて換気空間Ｓを形成している戸先側縦枠１３と戸先框２１とを離して換気空間Ｓを露出させることで、換気空間Ｓの清掃ができるから掃除が容易にできる。
換気空間Ｓは、戸先側縦枠１３と戸先框２１とが見込み方向で重合しているので、戸先換気であっても水が浴室側から脱衣室側に浸入するのを防止できる。
図１及び図２に示すように、戸先框２１の上端部に装着したキャップ７には、換気空間Ｓに突出する水返し部３５を設けているので、浴室側でシャワー水等が戸先框２１の上端部にかかっても、上端部の水を換気空間Ｓに落下させることができ、戸先框２１を回り込んで脱衣室へ入り込むのを防止できる。
【００１６】
水返し部３５は、換気空間Ｓの上部のみに設けているから、水返し部３５の下方には換気空間Ｓを確保できる。
図２に示すように、水返し部３５は、上下方向で下側が浴室側に突出する傾斜面５９を有しているので、水返し部３５が受けた水を浴室側へ導くことができる。
水返し部３５が受けた水を傾斜面５９に沿って浴室側へ流れ落ちることで、水に運動エネルギーが付与されるので、傾斜面５９に連続する水切り片６１から切れ良く落下させることができる。これにより、水切り片６１を伝わって流れる水が表面張力で脱衣室側へ回り込むのを防止できる。
水切り片６１から落下する水は、換気空間Ｓをまっすぐに下枠に向けて落下する為、脱衣室側に露見する恐れを低減できる。
図１（ｂ）に示すように、水切り片６１は戸先框２１及び戸先側縦枠１３に非接触としてあるから、戸先框２１や戸先側縦枠１３を伝わって脱衣室側へ回り込むのを防止できる。
図２に示すように、上枠タイト材３１は水返し部３５の上端部３５ａの位置まで設けてあり水返し部３５の上端部３５ａにも当接しているから、戸先框２１の上部に入り込んだ水を、水返し部３５から流し落とすことができ、脱衣室側へ流れ落ちるのを防止できる。
図１（ｂ）に示すように、緊急脱出操作部３９の摘み部４９は、押し下げた際の下端位置を水返し部３５の下端位置と略同じ位置にしてあるから、摘み部４９の押し下げ位置を水返し部３５の下端位置を目安にできる。緊急脱出操作部３９の摘み部４９をキャップ７に設けて水返し部３５に近接して配置してあるので、水返し部３５を目立たなくすることができ摘み部４９と共に調和した意匠にすることができる。
緊急脱出操作部３９の摘み部４９を押し下げることで戸車３７を下げて、レール２９の下に戸車３７を配置した後、摘み部４９を離すことで戸車３７がスプリング４３により押し上げられてレール２９と係合するから、障子５の建て付けが容易にでき、施工性が向上する。
緊急脱出操作部３９は戸車３７を押し下げてキャップ本体３３の水平開口部５５（図３参照）から嵌合部５１を挿入した取付けた後、押し下げを解除すると垂直開口部５７（図３参照）に挿通部５３が上下動自在になるから、緊急脱出操作部３９の特別な外れ防止機構が不要であり、簡易な構成で且つ組み立て性も良い。
【００１７】
本発明は、上述した実施の形態に限らず、本発明の要旨を逸脱しない範囲で種々変形可能である。
例えば、図９（ａ）〜（ｅ）に示すように、戸先側縦枠１３と戸先框２１とが見込み方向で重合する換気空間Ｓの構造は種々変形可能である。（ａ）に示す換気空間Ｓの構造は、戸先側縦枠１３に設けた浴室側壁部２３と戸先框２１に設けた脱衣室側突設部２８とで構成するものである。（ｂ）に示す換気空間Ｓの構造は、戸先側縦枠１３に設けた浴室側壁部２３と、脱衣室側壁部２５との間に戸先框２１の戸先側端部２１ａが入り込む構成である。（ｃ）に示す換気空間Ｓの構造は、戸先框２１の戸先側端部２１ａの見込み面から戸先側縦枠１３側へ突設する浴室側突設部２７と、脱衣室側突設部２８とを設け、浴室側突設部２７と脱衣室側突設部２８との間に戸先側縦枠１３から戸先框２１側へ突設する壁部６７が入り込む構成である。（ｄ）に示す換気空間Ｓの構造は、戸先框２１の戸先側端部２１ａの見込み面から戸先側縦枠１３側へ突設する浴室側突設部２７と、脱衣室側突設部２８とを設け、浴室側突設部２７の浴室側で戸先側縦枠１３から戸先框２１側へ突設する浴室側壁部２３を設ける構成である。（ｅ）に示す換気空間Ｓの構造は、戸先框２１の戸先側端部２１ａの見込み面から戸先側縦枠１３側へ突設する浴室側突設部２７と、脱衣室側突設部２８とを設け、浴室側突設部２７の脱衣室側で戸先側縦枠１３から戸先框２１側へ突設する脱衣側壁部２５を設ける構成である。
水返し部３５は、戸先側縦枠１３に当接しないものであっても良い。
水切り片６１は、戸先框２１や戸先側縦枠１３に当接しても良い。
本発明にかかる戸１は、折引戸に限らず、引戸であっても良い。また、浴室戸にかかわらず、玄関戸や室内を仕切る戸であっても良い。
【符号の説明】
【００１８】
１    戸
３    枠
５    障子
７    キャップ
１３  戸先側縦枠（縦枠）
２１  戸先框
３５  水返し部
Ｓ    換気空間
【図１】
2015214828.tif 000003
【図２】
2015214828.tif 000004
【図３】
2015214828.tif 000005
【図４】
2015214828.tif 000006
【図５】
2015214828.tif 000007
【図６】
2015214828.tif 000008
【図７】
2015214828.tif 000009
【図８】
2015214828.tif 000010
【図９】
2015214828.tif 000011